(57)【要約】【課題】空調空間における温度、湿度等の空調環境を正確に把握することができ、且つ空調環境検出部の駆動電源を容易に確保できる空調環境管理システムを提供する。【解決手段】電気機器３の各々に組み込まれた空調環境検出部３Ｂと、空調環境を管理するサーバ１とを備え、空調環境検出部３Ｂは、空調環境を検出して、この空調環境の検出結果を含む検出信号をサーバ１へ送信し、サーバ１は、受信した検出信号に基づいて、空調環境が所定状態であるか否かを判定し、当該判定結果を空調機器２へ通知する。【選択図】図１
2013181700.tif 000002
【特許請求の範囲】
【請求項１】
電力供給路に接続された複数の電気機器が配置され、空調機器によって空調環境が調整される空調空間に用いる空調環境管理システムであって、
前記電気機器の各々に組み込まれた空調環境検出部と、
前記空調環境を管理する空調環境管理部とを備え、
前記空調環境検出部は、前記空調環境を検出して、この空調環境の検出結果を含む検出信号を前記空調環境管理部へ送信し、
前記空調環境管理部は、受信した前記検出信号に基づいて、前記空調環境が所定状態であるか否かを判定し、当該判定結果を前記空調機器へ通知する
ことを特徴とする空調環境管理システム。
【請求項２】
前記空調環境検出部は、前記空調環境を検出して、前記検出信号を前記空調環境管理部へ送信する動作モードと、前記空調環境の検出動作および前記検出信号の送信動作を停止し、消費電力を前記動作モードに比べて小さくした待機モードとを交互に切り替えて、前記動作モードで定期的に動作することを特徴とする請求項１記載の空調環境管理システム。
【請求項３】
前記空調環境検出部は、固有の識別情報をそれぞれ付与されて、前記検出結果と前記識別情報とを含む前記検出信号を前記空調環境管理部へ送信し、
前記空調環境管理部は、前記識別情報のそれぞれに前記空調環境検出部の設置場所を対応付けたロケーション情報を格納した記憶部を備えて、受信した前記検出信号と前記ロケーション情報とに基づいて、前記空調空間における空調環境の分布を検出する
ことを特徴とする請求項１または２記載の空調環境管理システム。
【請求項４】
前記空調環境検出部は、前記電力供給路を介して前記空調環境管理部に接続し、前記電力供給路を用いた電力線搬送通信によって、前記検出信号を前記空調環境管理部へ送信することを特徴とする請求項１乃至３いずれか記載の空調環境管理システム。
【請求項５】
前記電気機器は、電力を発電する発電部を備え、
前記空調環境検出部は、前記発電部が発電した第１の電力を供給される第１の電源接続部と、前記電力供給路から第２の電力を供給される第２の電源接続部とを備え、前記発電部の発電電力が閾値以上である場合、前記第１の電力を駆動電源とし、前記発電部の発電電力が閾値未満である場合、前記第２の電力を駆動電源とする
ことを特徴とする請求項１乃至４いずれか記載の空調環境管理システム。
【請求項６】
前記空調環境管理部は、前記検出信号を受信してから次の前記検出信号を受信するまでの時間を、前記検出信号の送信元である前記空調環境検出部毎に計時して、この計時時間が所定時間を越えた前記空調環境検出部は故障していると判断し、
前記空調環境管理部の当該判断結果に基づいて、前記空調環境検出部の故障状況を報知する報知部を備える
ことを特徴とする請求項１乃至５いずれか記載の空調環境管理システム。
【請求項７】
前記空調環境検出部は、前記空調環境を検出する空調環境検出素子を、前記電気機器の表面に配置することを特徴とする請求項１乃至６いずれか記載の空調環境管理システム。
【請求項８】
前記空調環境検出部は、前記空調環境を検出する空調環境検出素子を、前記電気機器に着脱自在に組み込むことを特徴とする請求項１乃至７いずれか記載の空調環境管理システム。
【請求項９】
前記空調環境検出部は、前記空調環境管理部との間で前記電力供給路を介した電力線搬送通信を行う通信部と、前記通信部が前記空調環境管理部から受信したデータを格納する記憶部とを備えることを特徴とする請求項１乃至８いずれか記載の空調環境管理システム。
【請求項１０】
前記空調環境検出部は、前記空調環境を検出する空調環境検出素子を、断熱部材を介して前記電気機器に組み込むことを特徴とする請求項１乃至９いずれか記載の空調環境管理システム。
【発明の詳細な説明】
【技術分野】
【０００１】
本発明は、空調環境管理システムに関するものである。
【背景技術】
【０００２】
従来、空調空間に複数の温湿度センサを設け、これらの温湿度センサの計測データを用いて、空調空間の空調環境を管理する空調環境管理システムがある（例えば、特許文献１参照）。
【先行技術文献】
【特許文献】
【０００３】
【特許文献１】特開２００９−１４２１９号公報
【発明の概要】
【発明が解決しようとする課題】
【０００４】
近年、二酸化炭素の排出量の増大による地球温暖化が話題となっている。そして、製造された製品の消費電力だけでなく、製品を製造するための生産設備、物流設備、オフィス等においても、消費電力や、二酸化炭素の排出量の削減が急務となっている。
【０００５】
そこで、生産設備、物流設備、オフィス等の空調に要する電力を削減することが提案されている。このため、生産設備、物流設備、オフィス等の空調空間における温度、湿度等の空調環境を正確に把握することが必要となる。また、温湿度センサ等の空調環境検出部の駆動電源を容易に確保できることも要求されている。
【０００６】
一方、特許文献１では、机や電話機に温湿度センサを各々設けている。しかしながら、机や電話機に設けた温湿度センサは、壁、天井、床等に配設している電力供給路やコンセントから、専用の電源線を引き回して駆動電源を確保する必要がある。また、特許文献１に開示されている空調環境管理システムは、机、電話機のある事務空間のみを空調空間として管理対象としており、製品を製造するための生産設備、物流設備、オフィス等を想定したものではない。
【０００７】
本発明は、上記事由に鑑みてなされたものであり、その目的は、空調空間における温度、湿度等の空調環境を正確に把握することができ、且つ空調環境検出部の駆動電源を容易に確保できる空調環境管理システムを提供することにある。
【課題を解決するための手段】
【０００８】
本発明の空調環境管理システムは、電力供給路に接続された複数の電気機器が配置され、空調機器によって空調環境が調整される空調空間に用いる空調環境管理システムであって、前記電気機器の各々に組み込まれた空調環境検出部と、前記空調環境を管理する空調環境管理部とを備え、前記空調環境検出部は、前記空調環境を検出して、この空調環境の検出結果を含む検出信号を前記空調環境管理部へ送信し、前記空調環境管理部は、受信した前記検出信号に基づいて、前記空調環境が所定状態であるか否かを判定し、当該判定結果を前記空調機器へ通知することを特徴とする。
【０００９】
この発明において、前記空調環境検出部は、前記空調環境を検出して、前記検出信号を前記空調環境管理部へ送信する動作モードと、前記空調環境の検出動作および前記検出信号の送信動作を停止し、消費電力を前記動作モードに比べて小さくした待機モードとを交互に切り替えて、前記動作モードで定期的に動作することが好ましい。
【００１０】
この発明において、前記空調環境検出部は、固有の識別情報をそれぞれ付与されて、前記検出結果と前記識別情報とを含む前記検出信号を前記空調環境管理部へ送信し、前記空調環境管理部は、前記識別情報のそれぞれに前記空調環境検出部の設置場所を対応付けたロケーション情報を格納した記憶部を備えて、受信した前記検出信号と前記ロケーション情報とに基づいて、前記空調空間における空調環境の分布を検出することが好ましい。
【００１１】
この発明において、前記空調環境検出部は、前記電力供給路を介して前記空調環境管理部に接続し、前記電力供給路を用いた電力線搬送通信によって、前記検出信号を前記空調環境管理部へ送信することが好ましい。
【００１２】
この発明において、前記電気機器は、電力を発電する発電部を備え、前記空調環境検出部は、前記発電部が発電した第１の電力を供給される第１の電源接続部と、前記電力供給路から第２の電力を供給される第２の電源接続部とを備え、前記発電部の発電電力が閾値以上である場合、前記第１の電力を駆動電源とし、前記発電部の発電電力が閾値未満である場合、前記第２の電力を駆動電源とすることが好ましい。
【００１３】
この発明において、前記空調環境管理部は、前記検出信号を受信してから次の前記検出信号を受信するまでの時間を、前記検出信号の送信元である前記空調環境検出部毎に計時して、この計時時間が所定時間を越えた前記空調環境検出部は故障していると判断し、前記空調環境管理部の当該判断結果に基づいて、前記空調環境検出部の故障状況を報知する報知部を備えることが好ましい。
【００１４】
この発明において、前記空調環境検出部は、前記空調環境を検出する空調環境検出素子を、前記電気機器の表面に配置することが好ましい。
【００１５】
この発明において、前記空調環境検出部は、前記空調環境を検出する空調環境検出素子を、前記電気機器に着脱自在に組み込むことが好ましい。
【００１６】
この発明において、前記空調環境検出部は、前記空調環境管理部との間で前記電力供給路を介した電力線搬送通信を行う通信部と、前記通信部が前記空調環境管理部から受信したデータを格納する記憶部とを備えることが好ましい。
【００１７】
この発明において、前記空調環境検出部は、前記空調環境を検出する空調環境検出素子を、断熱部材を介して前記電気機器に組み込むことが好ましい。
【発明の効果】
【００１８】
以上説明したように、本発明では、空調空間における空調環境の測定点を多数確保でき、より正確に空調環境を把握することができる。また、空調環境検出部は、空調空間内の電気機器に組み込まれており、空調環境検出部の駆動電源は、電気機器に引き込まれている電力供給路から供給可能である。したがって、本発明では、空調空間における温度、湿度等の空調環境を正確に把握することができ、且つ空調環境検出部の駆動電源を容易に確保できるという効果がある。
【図面の簡単な説明】
【００１９】
【図１】実施形態１の空調管理システムを示すシステム構成図である。
【図２】同上の空調管理システムの構成を示すブロック図である。
【図３】同上のコンセントを示す斜視図である。
【図４】同上のコンセントを一部拡大した斜視図である。
【図５】実施形態２の空調管理システムの構成を示すブロック図である。
【図６】同上のコンセントを示す正面図である。
【発明を実施するための形態】
【００２０】
以下、本発明の実施の形態を図面に基づいて説明する。
【００２１】
（実施形態１）
図１は、空調環境管理システムの構成を示す。サーバ１は、本発明の空調環境管理部に相当し、空調空間Ａ１の空調環境を管理する。空調空間Ａ１は、製品を製造するための生産設備、物流設備、オフィスとして用いられる。この空調空間Ａ１の温度、湿度等の空調環境は、空調機器２によって調整される。さらに、空調空間Ａ１には、複数の電気機器３（３１，３２，３３，．．．）が配置されている。サーバ１と空調機器２とは、通信線Ｌｉを介して互いに通信可能に構成される。サーバ１は、空調空間Ａ１の壁、天井、床等に配設された電力供給路Ｌｐに電力を供給する。電気機器３は、コンセント、ケーブル配線等を介して電力供給路Ｌｐを内部に引き込み、駆動電力を供給される。なお、図１では、ＬＥＤ照明器具３１，３２、コンセント３３、照明スイッチ３４、火災警報機３５、ネットワークカメラ３６を、電気機器３として例示している。
【００２２】
まず、サーバ１は、図２に示すように、制御部１ａと、演算部１ｂと、通信部１ｃと、電源部１ｄと、記憶部１ｅと、表示部１ｆと、入出力部１ｇとを備える。
【００２３】
演算部１ｂは、空調空間Ａ１の空調環境を管理するための様々な演算処理を行う。通信部１ｃは、電力供給路Ｌｐを用いた電力線搬送通信を電源部１ｄ経由で行うインターフェース機能を有する。電源部１ｄは、商用電源を入力として電力供給路Ｌｐに電力を供給する。電源部１ｄが電力供給路Ｌｐに供給する電力は、交流電力、直流電力のいずれでもよく、電力供給路Ｌｐに接続される電気機器３の仕様に応じて予め決められる。
【００２４】
記憶部１ｅは、サーバ１の各機能を実現するために必要なソフトウェア、データが格納されている。表示部１ｆは、液晶画面、表示用ＬＥＤ等で構成され、空調空間Ａ１の空調環境、空調機器２の動作状況、異常発生状況等の表示を行う。入出力部１ｇは、空調機器２との間で、通信線Ｌｉを介した通信を行うインターフェース機能を有する。
【００２５】
制御部１ａは、上述したサーバ１の各部の動作を監視制御する。
【００２６】
次に、電気機器３は、図２に示すように、機能部３Ａと、空調環境検出部３Ｂとを備える。
【００２７】
機能部３Ａは、電気機器３が本来備える機能（照明機能、コンセント機能、照明スイッチ機能、火災警報機能、ネットワークカメラ機能等）を実現するための構成を有する。例えば、ＬＥＤ照明器具３１，３２の機能部３Ａは、ＬＥＤ光源、およびＬＥＤ光源を点灯させる点灯回路等で構成される。コンセント３３の機能部３Ａは、電力供給路Ｌｐからの電力を空調空間Ａ１内の機器へ供給する電力アウトレットで構成される。照明スイッチ３４の機能部３Ａは、照明器具を点灯／消灯させる制御信号を、電力供給路Ｌｐ（または図示しない制御線）を介して送信することで、照明器具の点灯／消灯操作を行うスイッチ装置で構成される。火災警報機３５の機能部３Ａは、火災発生を検知して、警報を発する火災警報回路等で構成される。ネットワークカメラ３６の機能部３Ａは、撮像した映像信号をネットワーク経由で送信する撮像回路等で構成される。そして、これらの機能部３Ａは、電気機器３内に引き込まれた電力供給路Ｌｐから電力を供給されており、例えば、ＬＥＤ照明器具３１，３２、照明スイッチ３４、火災警報機３５、ネットワークカメラ３６の駆動電力や、コンセント３３の供給電力に用いられる。
【００２８】
空調環境検出部３Ｂは、電源部３ａと、通信部３ｂと、記憶部３ｃと、演算部３ｄと、制御部３ｅと、温湿度検出素子３ｆとで構成される。
【００２９】
電源部３ａは、電気機器３内に引き込まれた電力供給路Ｌｐから電力を供給されて、空調環境検出部３Ｂの仕様に応じた電力形態に変換し、空調環境検出部３Ｂの各部の駆動電力とする。通信部３ｂは、電力供給路Ｌｐを用いた電力線搬送通信を電源部３ａ経由で行うインターフェース機能を有する。記憶部３ｃは、空調環境検出部３Ｂの各機能を実行するために必要なソフトウェア、データが格納されている。温湿度検出素子３ｆは、電気機器３の周辺における空調空間Ａ１の温度および湿度を検出するものであり、本発明の空調環境検出素子に相当する。温湿度検出素子３ｆは、サーミスタ等を用いた温度検出素子、湿度による抵抗変化、静電容量変化等を利用した湿度検出素子が用いられる。演算部３ｄは、温湿度検出素子３ｆの出力に対して補正等の演算処理を行う。制御部３ｅは、上述した電気機器３の各部の動作を監視制御する。
【００３０】
次に、本空調環境管理システムの動作について説明する。
【００３１】
まず、生産設備、物流設備、オフィス等の空調空間Ａ１において、ＬＥＤ照明器具、コンセント、照明スイッチ、火災警報機、ネットワークカメラ等の電気機器３は、多数存在する。そして、空調環境検出部３Ｂは、空調空間Ａ１内の電気機器３の各々に設けられており、空調空間Ａ１における空調環境の測定点を多数確保できる。したがって、空調空間Ａ１における温度、湿度等の空調環境を、より正確に把握することができる。
【００３２】
さらに、空調環境検出部３Ｂは、空調空間Ａ１内の電気機器３に組み込まれており、空調環境検出部３Ｂの駆動電源は、機能部３Ａの駆動電源として電気機器３の内部に引き込まれている電力供給路Ｌｐから供給される。したがって、空調環境検出部３Ｂは、空調空間Ａ１の壁、天井、床等に配設された電力供給路Ｌｐやコンセントから、専用の電源線を引き回して駆動電源を確保する必要がなく、駆動電源を容易に確保できる。
【００３３】
また、空調空間Ａ１内の電気機器３に空調環境検出部３Ｂを組み込むことによって、空調環境検出手段を単体で設ける必要がなく、低コストでシステムを構築することができる。
【００３４】
また、空調環境検出部３Ｂの各々は、固有の識別情報を付与されており、記憶部３ｃに識別情報を格納している。そして、通信部３ｂは、温湿度検出素子３ｆの検出結果と識別情報とを含む検出信号を、電力線搬送通信によってサーバ１へ送信する。
【００３５】
ここで、空調環境検出部３Ｂは、動作モードと待機モードとを交互に切り替えて動作する。動作モードにおいて、温湿度検出素子３ｆは温度および湿度を検出し、通信部３ｂはサーバ１へ検出信号を送信する。また、待機モードにおいて、温湿度検出素子３ｆは温度および湿度の検出動作を停止し、通信部３ｂは検出信号の送信動作を停止する。空調環境検出部３Ｂは、待機モードにおいて、空調環境の検出動作および検出信号の送信動作を行わないので、消費電力を動作期間より小さくできる。そして、空調環境検出部３Ｂは、待機モードから動作モードに定期的に切り替えて動作しており、空調環境の検出処理に要する消費電力を抑制している。
【００３６】
このように、空調空間Ａ１内の複数の電気機器３に設けた空調環境検出部３Ｂの各々からサーバ１へ、電力供給路Ｌｐを介して検出信号が送信される。サーバ１の通信部１ｃは、電力線搬送通信機能を用いて検出信号を受信する。空調環境検出部３Ｂ−サーバ１間では、電力線搬送通信を用いて検出信号の送受信を行うので、通信用ケーブルを敷設する必要がなく、システム構築時のコストダウンを図ることができる。また、電力線搬送通信を用いることによって、無線通信に比べて、信号の送受信を高精度に行うことが可能になる。
【００３７】
そして、演算部１ｂは、複数の空調環境検出部３Ｂから受信した検出信号に基づいて、空調空間Ａ１の空調環境を管理するための様々な演算処理を行う。
【００３８】
記憶部１ｅには、空調環境検出部３Ｂの識別情報のそれぞれと、識別情報のそれぞれを付与された空調環境検出部３Ｂの設置場所を示すロケーション情報とを対応付けて、予め格納している。すなわち、サーバ１は、複数の空調環境検出部３Ｂの各々が、空調空間Ａ１において何処に配置されているかを、識別情報を基にして把握している。
【００３９】
そして、複数の空調環境検出部３Ｂからの検出信号を受け取った演算部１ｂは、これらの検出信号に含まれる識別情報に対応するロケーション情報を参照して、空調空間Ａ１における空調環境分布（温度分布、湿度分布）を精度よく検出できる。演算部１ｂは、空調空間Ａ１における空調環境分布の検出結果を、予め設定された目標環境分布と比較し、空調環境分布の検出結果と目標環境分布との誤差を導出する。すなわち、空調空間Ａ１の各領域における温度および湿度の分布状況が、予め目標値として設定された温度および湿度の分布状況に比べて、どのようにずれているかを判定する。そして、演算部１ｂは、空調環境分布の検出結果と目標環境分布との誤差（判定結果）を示す判定信号を、入出力部１ｇから空調機器２へ送信する。
【００４０】
判定信号を受信した空調機器２は、空調環境分布の検出結果と目標環境分布との誤差に基づいて、空調環境分布の検出結果が目標環境分布に一致するように、空調動作を調整する。このように、空調空間Ａ１の温度および湿度を管理することによって、温度および湿度等の最適制御が可能になるので、空調空間Ａ１の空調に要する電力を削減でき、省エネルギー化を図ることができる。
【００４１】
また、サーバ１の制御部１ａは、検出信号の送信元である空調環境検出部３Ｂ毎に、検出信号を受信すると計時動作を開始し、次の検出信号を受信するとこの計時動作をリセットして、計時動作を新たに開始する。すなわち、制御部１ａは、空調環境検出部３Ｂ毎に、検出信号の送信間隔を計時している。そして、制御部１ａは、計時時間が所定時間を超えた時点で、この計時時間が所定時間を超えた空調環境検出部３Ｂは故障していると判断する。この所定時間は、上述の動作期間の発生周期より長い時間に設定される。
【００４２】
さらに、制御部１ａは、空調環境検出部３Ｂの故障状況について、表示部１ｆに表示し、ユーザにシステムの点検を促す。表示部１ｆには、故障した空調環境検出部３Ｂの設置場所、識別情報等が表示される。ここで、表示部１ｆが、本発明の報知部に相当する。したがって、ユーザは、空調環境検出部３Ｂの故障状況を把握でき、空調環境検出部３Ｂの交換、修理等の対応を迅速に実施することができる。
【００４３】
また、サーバ１の制御部１ａは、電力線搬送通信を用いて、各種データを空調環境検出部３Ｂへ送信する。空調環境検出部３Ｂの制御部３ｅは、サーバ１から受信したデータを記憶部３ｃに格納し、空調環境検出部３Ｂの各機能を実行する際に、記憶部３ｃ内のデータを用いる。例えば、温湿度検出素子３ｆの検出結果は、個体差などによって誤差を含む場合がある。そこで、サーバ１は、温湿度検出素子３ｆの検出結果を補正する補正用データを送信し、空調環境検出部３Ｂは、この補正用データを記憶部３ｃに格納しておく。そして、空調環境検出部３Ｂの演算部３ｄは、補正用データを用いて、温湿度検出素子３ｆの検出結果に補正を施し、通信部３ｂは、この補正後の検出結果をサーバ１へ送信する。他に、サーバ１から空調環境検出部３Ｂへ送信されるデータは、空調環境検出部３Ｂの各機能を実行するソフトウェアのバージョンアップデータ等がある。したがって、空調環境検出部３Ｂは、サーバ1から送信される各種データを記憶部３ｃに書き込むことができ、検出結果の補正、ソフトウェアのバージョンアップ等に用いることができる。
【００４４】
また、電気機器３に、温湿度検出素子３ｆを着脱自在に取り付けることによって、空調環境の測定点を容易に追加、削除できる。図３、図４は、温湿度検出素子３ｆをコンセント３３Ａに着脱自在に取り付ける構成例を示す。
【００４５】
コンセント３３Ａは、前面に栓刃挿入口３３ｂを設けた器体３３ａと、器体３３ａが一面に実装された基板３３ｃとを備える。そして、コンセント３３Ａは、器体３３ａから引き出されたケーブル３３ｄを介して、電力供給路Ｌｐを内部に引き込んでいる。
【００４６】
基板３３ｃの一面には、コネクタ３３ｅが実装されており、コネクタ３３ｅの両側のそれぞれにねじ孔３３ｆを設けている。そして、基板３３ｃは、温湿度検出素子３ｆ以外の空調環境検出部３Ｂの各部を実装している。
【００４７】
温湿度検出素子３ｆは、基板３３ｇの一面に実装されており、基板３３ｇの他面に実装したコネクタ３３ｈに電気的に接続している。また、基板３３ｇは、コネクタ３３ｈの両側のそれぞれに挿通孔３３ｉを設けている。そして、コネクタ３３ｈを、コネクタ３３ｅの端面に設けた挿入口３３０に挿入することによって、コネクタ３３ｅとコネクタ３３ｈとが電気的に接続する。而して、温湿度検出素子３ｆは、コネクタ３３ｈ，３３ｅを介して基板３３ｃに電気的に接続し、空調環境検出部３Ｂが構成される。また、図示しないねじを、挿通孔３３ｉを介してねじ孔３３ｆに螺合することによって、基板３３ｇは基板３３ｃに固定される。また、コネクタ３３ｈをコネクタ３３ｅから取り外すことによって、温湿度検出素子３ｆを基板３３ｃから取り外すことができる。
【００４８】
このように、温湿度検出素子３ｆが実装された基板３３ｇを、基板３３ｃに着脱自在に構成することによって、空調環境の測定点を容易に追加、削除できる。なお、コンセント３３Ａ以外の電気機器３についても、温湿度検出素子３ｆを着脱自在に構成することによって、上記同様の効果を得ることができる。
【００４９】
また、空調空間Ａ１に露出している電気機器３の表面に温湿度検出素子３ｆを配置することが望ましい。この場合、空調空間Ａ１の温度および湿度を精度よく測定することができる。
【００５０】
さらに、光源や発熱体を有する電気機器３は、温湿度検出素子３ｆを組み込む際に、断熱材や断熱塗料等の断熱部材を介して組み込むことが望ましい。この場合、電気機器３の光源や発熱体から発せられる熱が温湿度検出素子３ｆの検出結果に及ぼす影響を抑えることができるので、空調空間Ａ１の温度および湿度を精度よく測定することができる。
【００５１】
（実施形態２）
図５は、本実施形態の構成を示す。なお、実施形態１と同様の構成には、同一の符号を付して説明は省略する。
【００５２】
電気機器３は、太陽電池３Ｃを備えており、太陽電池３Ｃは、太陽光による発電を行う。なお、太陽電池３Ｃは、本発明の発電部に相当する。
【００５３】
また、空調環境検出部３Ｂの電源部３ａは、２つの電源接続部３０１，３０２を備える。電源接続部３０１（第１の電源接続部）は、太陽電池３Ｃに接続して、太陽電池３Ｃから発電電力（第１の電力）を供給される。電源接続部３０２（第２の電源接続部）は、電気機器３内に引き込まれた電力供給路Ｌｐに接続して、サーバ１の電源部１ｄから電力（第２の電力）を供給される。
【００５４】
電源部３ａは、太陽電池３Ｃの発電電力を監視しており、太陽電池３Ｃの発電電力を閾値と比較する。そして、電源部３ａは、太陽電池３Ｃの発電電力が閾値より大きければ、太陽電池３Ｃの発電電力を用いて、空調環境検出部３Ｂの各部の駆動電力を生成する。また、電源部３ａは、太陽電池３Ｃの発電電力が閾値より小さければ、電力供給路Ｌｐを介して供給される電力を用いて、空調環境検出部３Ｂの各部の駆動電力を生成する。
【００５５】
すなわち、電源部３ａは、昼間の時間帯等で太陽電池３Ｃの発電電力が大きい場合、太陽電池３Ｃの発電電力を用いることによって、電源部１ｄによる商用電源の使用量を低減させる。また、夜間の時間帯等で太陽電池３Ｃの発電電力が小さい場合、商用電力によって生成される電力供給路Ｌｐの電力を用いる。
【００５６】
したがって、空調環境検出部３Ｂを動作させるために必要な商用電源の使用量を低減させることができる。
【００５７】
図６は、太陽電池３Ｃを備える電気機器３の構成例として、コンセント３３Ｂを示す。コンセント３３Ｂは、前面に栓刃挿入口３３ｍを設けた器体３３ｋを備える。そして、栓刃挿入口３３ｍを前面に露出させる窓孔を有する化粧プレート３３ｎが、器体３３ｋの前面に装着される。
【００５８】
太陽電池３Ｃは、化粧プレート３３ｎの前面に配置されて、空調空間Ａ１内に露出している。したがって、太陽電池３Ｃは、空調空間Ａ１に入射する太陽光、空調空間Ａ１の照明光を用いて発電を行うことができる。
【００５９】
また、温湿度検出素子３ｆも、化粧プレート３３ｎの前面に配置されて、空調空間Ａ１内に露出している。したがって、温湿度検出素子３ｆは、空調空間Ａ１の温度および湿度を精度よく測定することができる。
【００６０】
なお、コンセント以外の電気機器３についても、太陽電池３Ｃを設けることによって、上記同様の効果を得ることができる。
【符号の説明】
【００６１】
Ａ１  空調空間
１  サーバ（空調環境管理部）
２  空調機器
３（３１，３２，．．．）  電気機器
３Ｂ  空調環境検出部
【図１】
2013181700.tif 000003
【図２】
2013181700.tif 000004
【図３】
2013181700.tif 000005
【図４】
2013181700.tif 000006
【図５】
2013181700.tif 000007
【図６】
2013181700.tif 000008